(57)【要約】      （修正有）【課題】看板などに取り付けて用いられる側方に光センサーを有する光電式自動点滅器が、側方や斜め下方位置からの光に対して誤動作することを抑制できる遮光カバーを提供する。【解決手段】光センサーの信号に基づいて電気的なスイッチとして機能する光電式自動点滅器Ｒを構成する、前面側に光センサー受光窓Ｒｗが設けられた筐体に固定される遮光カバーであり、受光窓から一定間隔を置いて前方に位置する遮光性のある板体からなる前面板１１を設け、受光窓より上方において前面板と筐体との間の隙間を遮らないようにする。前面板は下方側において、筐体との間の隙間が完全に閉じられるか、又は、少なくとも上方側の隙間よりも小さくするのが好ましい。【選択図】図２
0003204035.tif 000002
【実用新案登録請求の範囲】
【請求項１】
光センサーの信号に基づいて電気的なスイッチとして機能する光電式自動点滅器を構成する前面に前記光センサーが受光する受光窓が設けられた筐体に固定される遮光カバーであって、
前記筐体の前面側に取り付けられる、前記受光窓から一定間隔を置いて前方に位置する遮光性のある板体からなる前面板を有するとともに前記受光窓より上方において当該前面板と前記筐体との間の隙間を遮らない
光電式自動点滅器用遮光カバー。
【請求項２】
前記前面板は下方側において、前記筐体前面との間の隙間が完全に閉じられるか、又は、少なくとも上方側における前記筐体前面との隙間よりも小さく形成される請求項１に記載の光電式自動点滅器用遮光カバー。
【請求項３】
前記受光窓より上方において前記前面板と前記筐体との間の隙間を覆う透明なカバーを有する請求項１又は２に記載の光電式自動点滅器用遮光カバー。
【請求項４】
前記筐体前面と前記前面板との隙間の両側方を塞ぐ遮光性のある板体からなる側面板を有する請求項１から３のいずれか１項に記載の光電式自動点滅器用遮光カバー。
【考案の詳細な説明】
【技術分野】
【０００１】
本考案は、光電式自動点滅器がヘッドライトなどの光を受けて誤動作することを防止するために光電式自動点滅器に取り付ける遮光カバーに関する。
【背景技術】
【０００２】
光電式自動点滅器は、外部の照度を光センサーで感知し、暗くなると電灯などのスイッチをオンにする装置であり、主として屋外に設置される電灯や看板照明などに広く用いられている。このような光電式自動点滅器は、予期しない光に照らされると誤動作を起こすことがある。このため、例えば、下記特許文献には主として光電式自動点滅器によって点灯する照明の光によって誤動作をしないように、光センサーを下方に向けて上方及び側方からの光を遮断することが開示されている。
【先行技術文献】
【特許文献】
【０００３】
【特許文献１】特公平５−２６３１９号公報
【特許文献２】特開２００９−３７９４７号公報
【考案の概要】
【考案が解決しようとする課題】
【０００４】
ところで、看板などの高い位置に設置される電灯を点灯する場合、光電式自動点滅装置は比較的高い位置に設置されることが多いが、この場合、上記特許文献に記載の考案のように下方側を開放していると、自動車のヘッドライトのように低い位置から側方を照らすような光に対しては誤動作を防ぐことができない。また、上記特許文献に記載の考案は光センサーを下方に向けているが、低い位置からの側方に向かう光に対しては、多くの光電式自動点滅器で採用されている側方に光センサーを向けた構造の方が有利であると考えられる。
本考案は、このような観点に立ち、看板などに用いられる側方に光センサーを有する光電式自動点滅器に取り付けることで、側方や斜め下方位置からの光に対して誤動作を抑制できる遮光カバーを提供することを課題とする。
【課題を解決するための手段】
【０００５】
上記課題を解決するために、本考案は、次のような構成を有する。
請求項１に記載の考案は、光センサーの信号に基づいて電気的なスイッチとして機能する光電式自動点滅器を構成する、前面側に前記光センサーが受光する受光窓が設けられた筐体に固定される光電式自動点滅器用遮光カバーであり、前記筐体の前面側に取り付けられる、前記受光窓から一定間隔を置いて前方に位置する遮光性のある板体からなる前面板を有するとともに前記受光窓より上方において当該前面板と前記筐体との間の隙間を遮らないよう形成されるものである。
請求項２に記載の考案は、前記光電式自動点滅器用遮光カバーにおいて、前記前面板は下方側において、前記筐体前面との間の隙間が完全に閉じられるか、又は、少なくとも上方側における前記筐体前面との隙間よりも小さく形成されるものである。
請求項３に記載の考案は、前記光電式自動点滅器用遮光カバーにおいて、前記受光窓より上方における前記前面板と前記筐体との間の隙間を覆う透明なカバーを有するものである。
請求項４に記載の考案は、光電式自動点滅器用遮光カバーにおいて、前記筐体前面と前記前面板との隙間の両側方を塞ぐ遮光性のある板体からなる側面板を有するものである。
【考案の効果】
【０００６】
以上のような構成により、本考案は、次のような効果を奏する。
請求項１に記載の考案は、前面に受光窓を有する光電式自動点滅器の前方側を塞ぐとともに、上方側に光が通る開口が形成されることで、外部の照度は上方側の開口を通じて受光窓によって検知できる一方で、側方及び斜め下方からの予期しない光が受光窓に照射されることを防ぎ、これによって光電式自動点滅器が誤動作することを抑制することができる。なお、光電式自動点滅器によって点灯させる照明の光はどこから光が照射されるかが予めわかっているので、点灯させる照明の光による誤動作に対しては光電式自動点滅器の設置位置によって対応することが可能である。
請求項２に記載の考案は、前面板と筐体との下方側における隙間を閉じるか小さくすることで、より垂直下方に近い方向からの光を遮断することができる。
請求項３に記載の考案は、上方側に透明なカバーを設けることで、外部の光の入射を可能としながら雨が筐体に当たることで光電式自動点滅器が故障したり劣化したりすることを抑制することができる。
請求項４に記載の考案は、前記筐体前面と前記前面板との隙間の両側方を塞ぐことで斜め側方からの予期しない光による誤動作を抑制することができる。
【図面の簡単な説明】
【０００７】
【図１】実施形態に係る光電式自動点滅器遮光カバーの斜視図である。
【図２】実施形態に係る光電式自動点滅器遮光カバーを光電式自動点滅器に装着した状態を示す斜視図である。
【図３】図２における縦断面図である。
【図４】変形例に係る光電式自動点滅器遮光カバーの斜視図である。
【考案を実施するための形態】
【０００８】
以下、本考案の実施の形態について、図面を参照しながら説明する。
図１に本実施形態に係る光電式自動点滅器遮光カバーＸの斜視図を示す。光電式自動点滅器遮光カバーＸは前面板１０、側面板２０、背面板３０から形成される。前面板１０は遮光性のある板体からなり、上方の約４分３は鉛直に形成される長方形部分からなる前上部板１１と、下方約４分１は背面側に屈曲するように形成される偏平な長方形部分からなる前下部板１２とから構成される。側面板２０は前面板１０の両側縁から背面側に直角に交わるように固定される遮光性のある板体から構成される。側面板２０の横幅は装着する光電式自動点滅器の筐体の厚みの１．５倍〜２倍程度に設定される。背面板３０は、各側面板２０の背面側の縁部に内側に直角に交わるように固定される板体であり、向かい合う背面板３０同士の上端部分以外の間隔が装着する光電式自動点滅器の筐体の幅とほぼ一致するように形成される。背面板３０の上端側の一定範囲は内側に突出する係合爪３１を形成している。
【０００９】
次に、以上のような構成を有する光電式自動点滅器遮光カバーＸの使用方法について説明する。なお、装着する光電式自動点滅器の側面上端後方位置に光電式自動点滅器遮光カバーＸの背面板３０の設けられている係合爪３１が嵌る溝が形成されているものとする。図２に、光電式自動点滅器Ｒに光電式自動点滅器遮光カバーＸを装着した状態を表す斜視図を示し、図３に、図２の縦断面図を示す。光電式自動点滅器Ｒの溝Ｒｌに光電式自動点滅器遮光カバーＸの係合爪３１を差し込むことで光電式自動点滅器遮光カバーＸは光電式自動点滅器Ｒに図２、３に示すような状態で固定される。光電式自動点滅器遮光カバーＸが装着された状態において、前面板１０と光電式自動点滅器Ｒの筐体前面とは若干の距離が形成されることで上方側に光電式自動点滅器Ｒの受光窓Ｒwに至る開口が形成される。また、下方側は前面板１０の下部板１２が背面側に傾斜していることで、狭いスリット状の開口が形成されることとなる。
【００１０】
このような構成によって、日中は図３に示す上方（Ａ）からの光が上方の開口を通じて受光窓Ｒwに至るので、光電式自動点滅器Ｒはスイッチオフの状態を維持する。そして、日が落ちて周囲が暗くなると、受光窓Ｒwが検知する光量が一定値以下となるので、自動点滅器Ｒはスイッチオンの状態となる。ここで、自動車のヘッドライトのような予測できない光が図３に示す正面（Ａ）や斜め下方（Ｂ）から照射されることを想定すると、正面（Ａ）からの光は前面板１０の前上部板１１によって受光窓Ｒwに至ることが妨げられ、斜め下方（Ｂ）からの光は前面板１０の前上部板１１及び前下部板１２によって受光窓Ｒwに至ることが妨げられる。さらに、側方板２０によって側方及び斜め側方からの光にも防ぐことができる。このような作用によって、自動車のヘッドライト等からの正面、斜め下方、斜め側方からの光によって光電式自動点滅器Ｒが誤動作することを抑制することができる。
なお、下方側に狭い開口が形成されているので、急角度で斜め下方から照射される光は受光窓Ｒwに至る場合が想定されるが、受光窓内の光センサーは筐体内にあるので急角度で斜め下方から照射される光はほとんど光センサーに達しないこと、ほぼ真下に近い位置から光が照射させることは想定しづらいことから、急角度で斜め下方から照射される光による誤動作はほとんど問題にならない。そして、下方側に開口が形成されることによって、雨が降っても下方側の開口から雨を下方に流出させることができ内部に水が溜まることを防ぐことができる。なお、上方からの開口からの光は遮られないので、装着する光電式自動点滅器は、自動点灯する電灯の明かりによって誤動作しないような位置に取り付けるようにしておく。
【００１１】
なお、上記実施形態においては、上方側を開放しているが図４に示す光電式自動点滅器遮光カバーＹのように、上部に透明な板体により形成される透明カバー４０を設けるようにしてもよい。これよって、上方からの光を受光窓に導きながら、雨が光電式自動点滅器遮光カバーＹの内側に入ることを防ぐことができる。また、透明カバー４０を設ける場合、下方からの排水は必要なくなるので、下方側には開口を設けず、完全に閉じるようにしてもよい。
また、上記実施形態に示す光電式自動点滅器遮光カバーの形状は例示であり、上方側が受光窓まで光を通すよう形成され、前面側が遮光されるような形態であれば種々の変更が可能である。さらに、光電式自動点滅器遮光カバーの光電式自動点滅器への取り付け方法も適宜変更することができ、ネジや両面テープで固定したり、筐体にヒンジを介して一端側のみ固定することで開閉式にしたり等、種々の固定方法を採用することができる。
【符号の説明】
【００１２】
Ｘ、Ｙ  光電式自動点滅器遮光カバー
Ｒ  光電式自動点滅器
Ｒw  受光窓
１０  前面板
１１  前上部板
１２  前下部板
２０  側方板
３０  背面板
３１  係合爪
４０  透明カバー
【図１】
0003204035.tif 000003
【図２】
0003204035.tif 000004
【図３】
0003204035.tif 000005
【図４】
0003204035.tif 000006